(57)【要約】【課題】  係員などがチャート紙を手でめくって行う場合に生じる諸問題を解消し、係員などによる規制値を超えていないかの確認作業時間を著しく短縮するチャート早見器を提供する。【解決手段】  チャート紙供給手段と、前記供給されたチャート紙を滑動せしめる平坦面を所定の高さ位置に備えた器体と、該器体を通過したチャート紙を収容するチャート紙収容手段とからなり、前記器体は、前記供給されたチャート紙を上から覆って前記器体平坦面との間で挟持可能とする上側透明板と、該挟持されたチャート紙を移動させるチャート紙送り機構と、該チャート紙送り機構を駆動する駆動源とを備えたことを特徴とするチャート早見器。平坦面は、上側透明板に対向する下側透明板を備えることができ、その下方に光源を配置できる。上側透明板には、前記チャート紙の移動方向に平行に少なくとも１本の直線表示手段を設けることができる。【選択図】      図１
2006250838.tif 000002
【特許請求の範囲】
【請求項１】
チャート紙供給手段と、前記供給されたチャート紙を滑動せしめる平坦面を所定の高さ位置に備えた器体と、該器体を通過したチャート紙を収容するチャート紙収容手段とからなり、前記器体は、前記供給されたチャート紙を上から覆って前記器体平坦面との間で挟持可能とする上側透明板と、該挟持されたチャート紙を移動させるチャート紙送り機構と、該チャート紙送り機構を駆動する駆動源とを備えたことを特徴とするチャート早見器。
【請求項２】
前記器体の内部は中空であり、前記平坦面を有する板体を所定の高さ位置に支持してなる請求項１に記載のチャート早見器。
【請求項３】
前記器体は、前記上側透明板の下方に、これと対向して下側透明板を備えてなる請求項１または２に記載のチャート早見器。
【請求項４】
前記下側透明板は、着脱自在に固定されてなる請求項３に記載のチャート早見器。
【請求項５】
前記器体には、前記下側透明板の下方に光源が配置された請求項１〜４のいずれか1項に記載のチャート早見器。
【請求項６】
前記上側透明板には、前記チャート紙の移動方向に平行に少なくとも１本の直線表示手段が設けられた請求項１〜５のいずれか１項に記載のチャート早見器。
【請求項７】
前記直線表示手段は、表面に直線が描かれ、前記上側透明板への貼着または引き剥がしの可能な透明なテープである請求項６に記載のチャート早見器。
【請求項８】
前記直線表示手段は、表面に直線が刻設された帯状体であり、当該帯状体は前記チャート紙の移動方向に直角な方向に平行移動可能とされた請求項６に記載のチャート早見器。
【発明の詳細な説明】
【技術分野】
【０００１】
本発明は、チャート紙に記録された測定データを短時間で確認でき、また確認後のチャート紙を簡単に収容することができるチャート早見器に関する。
【背景技術】
【０００２】
火力発電所などでは、常時、環境監視が行われており、各種監視項目について得られた測定データは、記録計によってチャート紙に連続的に記録されている。このチャート紙に記録された測定データについては、例えば所定の規制値を外れた異常値の有無などの運転状況を確認する作業を迅速に行うことが必要である。
【０００３】
従来、この確認作業は、確認者が記録済みのチャート紙を手にとり、これをめくることで行っており、確認後は元の状態に戻す必要があったため、作業を終えるまでかなりの時間を要していた。また、チャート紙をめくりながらの作業であるため、測定データ中の異常値の有無を確認する作業が非常にやりにくいという問題があった。そのため、このような確認作業をより迅速に行うことができる器具が要請されていた。
【０００４】
一方、このようなチャート紙を自動的に送るチャート紙の紙送り機構として、例えば、実開昭６２−９３７２６号公報に提案されているものなどがある（特許文献１参照）。
【０００５】
【特許文献１】実開昭６２−９３７２６号公報
【発明の開示】
【発明が解決しようとする課題】
【０００６】
しかしながら、特許文献１に開示されたチャート紙送り機構は、特に高湿度下で安定したチャート紙の移動・送りを可能とした点では優れるが、逆送りができず、送り速度も調節できないため、そのままでは上記のようなチャートの確認作業に使用できない。特に、異常値の有無のチェック作業においては、使いにくいものである。
【０００７】
そこで、本発明は、上記事情に鑑み、チャート紙上に記録された測定データを確認に要する作業時間を著しく短縮することができるチャート早見器を提供することを目的とする。
【課題を解決するための手段】
【０００８】
上記目的は、本発明によれば、チャート紙供給手段と、前記供給されたチャート紙を滑動せしめる平坦面を所定の高さ位置に備えた器体と、該器体を通過したチャート紙を収容するチャート紙収容手段とからなり、前記器体は、前記供給されたチャート紙を上から覆って前記器体平坦面との間で挟持可能とする上側透明板と、該挟持されたチャート紙を移動させるチャート紙送り機構と、該チャート紙送り機構を駆動する駆動源とを備えたことを特徴とするチャート早見器によって達成される。
【０００９】
本発明のチャート早見器は、公知の折込式チャート紙やロール式のチャート紙などのチャート紙に記録された測定データを確認するのに好適に使用できる。これらのチャート紙には、通常、その流れ方向両側縁部にそれぞれ紙送り用の位置決め孔が所定間隔で配置されているが、本発明のチャート早見器は、このような位置決め孔が配置されたチャート紙だけでなく、いずれか片側の側縁部にのみ位置決め孔が設けられたチャート紙にも使用できる。なお、本明細書では、チャート紙の流れ（送り）方向を基準にして、チャート紙の左右の縁をそれぞれ左側縁、右側縁とし、またこのチャート紙の流れ方向のチャート紙供給手段側を後方側、チャート紙収容手段側を前方側と呼ぶこととする。
【００１０】
上記チャート紙供給手段は、チャート紙を保持した状態で上記器体の後方側（チャート紙供給側）にこれを連続して供給するものである。具体的には、折込式のチャート紙の場合、例えば、これを戴置して上記器体後方側にスムーズに送り出すことができるトレーなどが好適に使用できる。また、ロール式のチャート紙の場合、これを支持し、自由に回転可能な軸などが挙げられる。なお、後者の場合、電動機などの駆動源によって軸を回転させ、チャート紙を送り出すようにしてもよい。
【００１１】
上記平坦面は、チャート紙の滑動方向に平行な方向の辺および直角な方向の辺を有する略長方形または略正方形などの形状を呈し、当該面をチャート紙が滑動すること、すなわちチャート紙のすべりを妨げる凹凸がないことが必要である。好ましくは、平坦面は、チャート紙面との摩擦抵抗を小さくするよう、平滑とするのがよい。平坦面には、チャート送り方向の少なくとも一方の側縁に当該チャート紙を送る送り機構を下方から突出させる開口を設けることができる。また、平坦面は、その幅、すなわちチャート紙の送り方向に直角な方向の長さを当該チャート紙の有効記録幅程度以上とするのがよく、その紙幅よりも常識的な範囲で幅広に形成されることが好ましい。なお、平坦面のチャート紙送り方向の長さは、チャート紙送り機構の配置などを考慮して適宜設定できる。
【００１２】
上記平坦面の高さ位置は、例えば、折込式チャート紙の場合、後述するチャート紙収容手段に当該チャート紙が確実に折りたたまれた状態で収容できる高さなどを考慮することによって適宜決定できる。平坦面は、必ずしも水平である必要はなく、例えば、上記のように決定された平坦面のチャート紙収容側の端部の高さに対して、チャート紙供給側の端部の高さを低く設定することも可能である。また、ロール式のチャート紙の場合、この平坦面の高さ位置は、当該チャート紙のロール径などによって適宜決定することができる。
【００１３】
本発明のチャート早見器における器体は、その上面の全部または一部に上記平坦面を備え、当該平坦面が上記所定の高さ位置となるように形成される。器体の立体形状については特に限定されず、例えば立方体、直方体、多角柱、截頭角錐、截頭円錐などの種々の形状をとることができる。また、この器体内部は中実であっても中空であってもよい。器体内部が中空である場合、器体は、平坦面を有する板体と、当該板体の下方でこれを所定の高さ位置で支持する壁体や柱などによって上記のような種々の形状に形成されることになる。この場合、器体の周壁は、すべて壁体で囲う必要はない。なお、上記壁体や柱体は、その形状や表面の状態など特に限定されない。
【００１４】
器体を構成する部材は、上記平坦面を有する板体を除き、有色透明または無色透明といった透明であっても不透明であってもよい。従って、器体は、例えば、鉄、鋼、樹脂、ガラスなどの材料を立体形状に成形して内部を中実としたり、これらの材料からなる板体、壁体、柱体を接合、一体化、組み合わせなどにより内部を中空にして構成することができる。
【００１５】
上記平坦面を有する板体は、その対向する面（表裏面）のうち、少なくとも1面の全面または一部に上記平坦面が形成されたものである。また、平坦面を有する板体は、不透明な板体であってもよく、全体が透明な透明板であってもよい。また、平坦面を有する板体は、平坦面の一部を透明とすることもできる。例えば、上記板体の一部に所定の大きさの略長方形または略正方形の開口を設け、この開口にこれと同等の大きさの透明板を嵌合させて固定することができる。好ましくは着脱自在に固定されるのがよい。なお、本明細書では、上記「透明板」を後述の上側透明板に対して「下側透明板」と呼ぶことにする。下側透明板は、無色透明、有色透明のいずれを呈していてもよい。この下側透明板として、例えばアクリル板などの透明な樹脂板や透明ガラス板などを好適に使用できる。なお、上記不透明な平坦面を有する板体の具体例としては、鉄板、鋼板などの他、上記以外の樹脂板やガラス板などが挙げられる。
【００１６】
平坦面を有する板体は、器体の上部に固着するか、または着脱可能に固定することができる。平坦面を有する板体を器体上面に着脱可能に固定する場合、器体上面に当該板体を嵌合可能な凹部を設け、これに板体を嵌め込むなどして板体の前方側および後方側の端部が器体上面から突出してチャート紙の滑動を妨げないようにするのがよい。このように板体を着脱可能に固定することで、上記平坦面の汚れや傷つきによりチャート紙の滑動に支障が出てきた場合に別の板体に交換することができる利点がある。
【００１７】
器体上面において、上記平坦面の前方側および後方側の端部には、チャート紙の滑動を妨げる凹凸がないように、上記端部のそれぞれから離間する方向に上方に凸の湾曲面を形成しておくことが好ましい。例えば、上記のように器体上面の全面が平坦面である場合、上記のような湾曲面を有する部材を器体上面の前方側および後方側の端面に固定することができる。また、平坦面が器体上面の一部である場合、その前方側および後方側の端部から器体上面の端部に向けて上記のような湾曲面を形成することができる。また、平坦面を有する板体において当該平坦面が当該板体の表面の一部である場合、上記湾曲面はこの板体を研削して形成してもよく、折り曲げるなどの方法を用いて形成してもよい。
【００１８】
本発明においては、器体は、その内部を中空とし、上記平坦面を有する板体をその上部に固着するか、または着脱可能に固定することにより、上記平坦面を有する板体を所定の高さ位置に支持した構成とされるのが好ましい。このような構成により、チャート紙の送り機構や駆動系などを器体内部に収納することができ、本発明のチャート早見器自体をコンパクトにすることができる。また、上記平坦面を有する板体は、当該平坦面をその全面に備えたものであることが好ましい。
【００１９】
本発明における上側透明板は、チャート紙供給手段から供給されたチャート紙を上記平坦面の上方から覆い、該平坦面との間でチャート紙を挟持するように配置されるものである。上側透明板の平面形状は、上記平坦面と同様の平面形状を備えていることが好ましい。その際、この上側透明板は、平坦面上を移動するチャート紙の全幅（その滑動方向に対して直角な方向の長さ）を覆う程度の大きさとするのが好ましい。また、そのチャート紙の移動方向の長さは、上記平坦面と略同等とするのがよい。この透明板は、チャート紙に記録された測定データが十分に視認できる程度に透明であればよく、そのため、無色透明に限定されず、有色透明であってもよい。具体的な材質としては、上記下側透明板と同様のものを使用できる。
【００２０】
上側透明板は、上記平坦面上に種々の方法で配置することができる。例えば、この透明板の端部に上記器体の左右の側縁部に係止可能な係止具を設けておき、使用時に該係止具によって上記平坦面上に透明板を戴置してこれを透明板側部に係止するようにしてもよいし、チャート紙の移動方向両側のうちのいずれかに蝶番などを用いて透明板の一端を固定し、該蝶番を中心に透明板を回転させてチャート紙を覆うようにしてもよい。平坦面上でのチャート紙の滑動に支障とならないように、上記平坦面との間にチャート紙の厚さ程度の間隙を設けることができる。平坦面が下側透明板を備える場合、下側透明板は、、上側透明板の下方に、これと対向して設けられることになる。
【００２１】
上側透明板には、少なくとも１個の直線表示手段を設けることができる。この直線表示手段は、長さ方向（チャート紙の滑動方向）に有色の直線を刻設した透明な帯状体であり、当該直線がチャート紙の移動方向に平行な方向となるように、上側透明板表面に固定または固着される。好ましくは、この直線表示手段は、上側透明板表面に着脱自在に固定または固着されるのがよい。刻設される直線の色は、チャート紙上に描かれまたは打点などされた測定データの色とは異なる色に設定するのが好ましい。また、この直線表示手段は、適当な方法を用いて上側透明板表面に沿って平行移動できるように構成されているのが好ましい。例えば、この帯状体の長さ方向両端に垂直に係合片を固定し、上側透明板の対向する端面にこの係合片をそれぞれ係合した状態で当該透明板面に沿って移動可能となる。また、透明テープを上側透明板表面に着脱自在に貼着しておき、これを剥がすことで同様に移動可能となる。直線表示手段を上側透明板に設けることにより、チャート紙に記録された測定データのなかから所定の規制値を超えた異常値の発見が容易となり、その結果、チャート紙の確認作業時間の短縮化が図られる。
【００２２】
チャート紙送り機構としては、チャート紙両側縁の位置決め孔にローラー端部の歯を嵌合してチャート紙を送るタイプ、表面側、裏面側の双方からタイヤロールなどで挟みこんでチャート紙を送るタイプなどが挙げられ、これらはいずれも使用できるが、操作性、使い易さなどを考慮すると、前者の機構を用いるのが好ましい。この場合、使用されるローラーの全長などはチャート紙の紙幅などを考慮して適宜設定できる。このローラーには、駆動源から、例えば各種材質の歯つきベルト、Ｖベルト、丸ベルトなどのベルトやチェン、歯車などの動力伝達手段を介して動力が伝達される。
【００２３】
上記チャート紙送り機構を駆動する駆動源としては、小型電動機などの出力を用いる電動式および人間がハンドルなどを回して動力を与える手動式のいずれであってもよい。また、駆動源から紙送り機構に伝達される回転動力は一定であっても変えられるようにしてもよいが、好ましくは後者とするのがよい。これにより、異常値が発生した場合などチャート紙の送りを遅くして仔細にチェックすることができる。
【００２４】
上記のように器体上から排出されたチャート紙は、チャート紙収容手段に送り出される。チャート紙収容手段では、上側透明板の後方端から送り出されたチャート紙が元の折りたたまれた状態またはロールの状態にされて収容される。例えば、折込式のチャート紙の場合、チャート紙供給手段と同様のトレーなどを上記器体に近接させて配置すればよい。また、ロール状のチャート紙の場合、チャート紙供給手段と同様に軸を設け、これにチャート紙の駆動源から同様の回転速度の回転力を受けるようにすることで、元の状態と同様のロール状に巻き取ることができる。
【００２５】
本発明のチャート紙早見器では、上記平坦面に下側透明板を設けた場合には、その下方に適当な光源を設置し、上記下側透明板を通して下からチャート紙を照明することができる。このような光源としては、豆電球、白熱電球または高輝度ＬＥＤなどが挙げられる。
【発明の効果】
【００２６】
本発明のチャート早見器を用いることにより、チャート紙に記録された測定データの確認作業を短時間で簡単に行うことができ、確認後は該チャート紙を簡単に収容することができるため、チャート紙を手でめくって行っていた従来の確認作業に比べ、確認者の労力が著しく軽減され、上記確認作業に要する時間が大幅に短縮される。
【発明を実施するための最良の形態】
【００２７】
以下、図面を参照して本発明のチャート早見器の好ましい実施形態を説明する。
【００２８】
図１は、本発明のチャート早見器の一実施形態の斜視図である。この実施形態は、折込み式チャート紙に適用可能なものである。この図において、チャート早見器１は、チャート紙供給トレー２と、中空箱型の器体３と、チャート紙収容トレー４とから構成されている。図１では、チャート紙は、チャート紙供給トレー２からチャート紙収容トレー４に送られる（図３参照）。
【００２９】
器体３は、その上部に平坦面６を備えており、該平坦面６の後方側は、ここから送り出される折込式チャート紙が折りたたまれて収容できる高さに設定され、この高さは前方側に向かって徐々に低くなっている。また、その内部には駆動プーリー１２およびハンドル１３からなる駆動源と、第１ｃ送りローラー８および第２ｃ送りローラー９からなる紙送り機構と、動力伝達手段１４とが収納されている。各ローラー８，１０は、いずれも左右方向（チャート紙送り方向に直角な方向）にチャート紙７の紙幅と略同等の全長を有する円筒状のローラーであり、その両端に不図示の鍔を有し、当該鍔の周面に歯８ａ，１０ａがそれぞれ設けられている。歯８ａ，１０ａは、いずれもチャート紙供給トレーから繰り出されるチャート紙の位置決め孔に対応して設けられている。
【００３０】
この平坦面６には、左右両側縁部にそれぞれ各２個、計４個の開口が穿設され、上記２本のローラー８、１０のそれぞれの両端周面に設けられた歯８ａ，１０ａが当該開口を介して突出し、またローラーの回転に支障がないようにされている。
【００３１】
各ローラー８，９の右端面には、それぞれプーリー９，１１が、ローラー８，９のそれぞれとこれらのローラーの軸を共通にして固定されている。駆動源は、駆動プーリー１２およびその軸に固定されたハンドル１３からなり、この駆動プーリー１２とプーリー９，１１とにベルト１４がかけられ、駆動プーリー１２からの動力を伝達するようになっている。
【００３２】
器体３の左側縁には、上側透明板５が蝶番（図４、符号２１参照）によって枢支され、この蝶番によって平坦面６に向かって回転可能とされている。上側透明板５には、平坦面３と同様に、各ローラー８，１０の端部の歯８ａ，１０ａが当たってその回転が妨げられないように、平坦面６と同様の位置に開口５１，５１，５１，５１がそれぞれ設けられている。この上側透明板５を回転して平坦面６を覆うようにしたときに、押さえ金具２０，２０が平坦面の左右端部に係合されるようになっている。
【００３３】
図２は、図１に示す本発明のチャート紙早見器の実施形態において実際にチャート紙を通した状態を示した右側面図である。なお、以下の図２〜４では、図１に示した各部と同様の部分または共通の部分には、同一の符号を付し、重複した説明は省略する。
【００３４】
本実施形態では、図２に示すように、器体３の平坦面６と略同等の面積を有する下側透明板６が設けられている。なお、以下では、説明の便宜上、下側透明板には、平坦面と同じ符号６を用いることとし、また説明を簡略化するため、図２では上側透明板５の止め金具を省略している。
【００３５】
器体３の内部には、豆電球１５がその底面に配置されている。この豆電球１５は、スイッチ１６を介して乾電池１７，１７に接続されており、当該乾電池から電源の供給を受けるようになっている。
【００３６】
本実施形態に示すチャート紙早見器１を使用するに当たっては、上側透明板５を略鉛直に上げた状態でチャート紙供給トレー２にチャート紙を戴置し、該チャート紙の上側の端部を持ち上げて、その両側縁に設けられた位置決め孔を下側透明板６の左右の歯８ａ、１０ａに嵌合させる。
【００３７】
次に、上側透明板５を回転させ、チャート紙７の表面を覆うようにして下側透明板６との間で上記チャート紙７を挟持し、ハンドル１３を前方側から後方側に向かって回転させ、チャート紙７をチャート紙収容トレー４に送る。ハンドル１３は、略一定の速度で回すか、それよりも早く回したり遅く回したりしてその回転速度を調整できる。チャート紙収容トレー４内では、器体３との落差によりチャート紙が自然に折りたたまれるようになっている。
【００３８】
図３は、ロール式チャート紙確認用のチャート紙早見器の実施形態の一例を示す図であり、図２と同様の右側面図である。図３では、チャート紙供給トレー２およびチャート紙収容トレー４の代わりに、ロール式のチャート紙を固定可能な軸が器体３の前方側、後方側の適当な高さ位置に設けられている。収容側のロール軸３１には、その右側面にプーリー３２が取り付けられている。このプーリー３２には、プーリー１１からベルト３４、中間のプーリー３３およびベルト３５によって順次回転が伝達されるようになっている。中間のプーリー３３は、任意の位置に設置できる。ハンドル１３を回してプーリー１１を回転させると、このベルト３３を介してロール軸３１（プーリー３２）も略同等の回転速度で回転して、器体３から送り出されるチャート紙を巻き取ることができるようになっている。プーリー３２の直径は、ロール式チャート紙７の巻き径および紙送り機構の各ロール８、１０の周速などを考慮して適宜決定できる。
【００３９】
図３に示す実施形態のチャート紙速見器を使用するに当たっては、上側透明板５を略鉛直に上げた状態でチャート紙供給側の軸３０にチャート紙７を取り付け、その巻き終わり端部（不図示）を引き出し、その両側縁に設けられた位置決め孔を下側透明板６の左右の歯８ａ、１０ａに嵌合させる。その後、収容側ロール軸３１に上記巻き終わり端部を係止する。
【００４０】
図３に示すいずれの実施形態でも、次に、上側透明板５を回転させ、チャート紙の表面を覆うようにし、ハンドル１３を前方側から後方側に向かって回転させ、チャート紙をチャート紙収容側のロール軸３１に送る。ロール軸３１は、ローラー１１からの動力の伝達を受けて駆動され、チャート紙を自然に巻き取ることになる。本実施の形態においても、任意の回転速度となるように、ハンドルを回すことができる。
【００４１】
図４は、上側透明板５を示したものであり、同図（ａ）は斜視図を、同図（ｂ）は上記（ａ）のＡ−Ａ矢視図を示している。図４（ａ）において、チャート紙の送り方向は矢印１００で示している。また、図４（ａ）では、チャート紙７は図面に向かって上側透明板５の奥側を矢印１００の方向に移動することとなる。このチャート紙の送り方向１００に平行に、直線表示手段４０が設けられている。この直線表示手段４０は、チャート紙の流れ方向両端から透明板５に向かって爪が立設され、その表面に刻設された直線４１に沿った断面が略コの字型を呈する透明板である。この直線表示手段４０は、チャート紙の流れ方向に直角な方向に平行移動できるようになっている。この直線表示手段４０により、チャート紙上の測定データの異常値を即座に視認できる。なお、上側透明板５には、チャート紙流れ方向左側縁に設けられた蝶番２１、２１、右側縁に設けられた押さえ金具２０、２０およびその表面に設けられた開口５１，５１，５１，５１が設けられている点は、上記の通りである。
【００４２】
以上のように、本発明のチャート紙早見器は、チャート紙に記録された測定データの推移や異常値の有無の確認作業を容易に行うことができ、確認すると同時に、チャート紙は自然に収容されることになるので、従来の確認作業よりも短時間で確認できるとともに、確認作業全体の所要時間の短縮化も図られる。
【００４３】
また、スイッチ１６を投入し、豆電球１５を点灯させると、下側透明板６を通して下からチャート紙を照らすことができるため、よりチャート紙を見やすくすることができる。
【００４４】
さらに、本発明のチャート早見器において、チャート紙に記録された測定データについての規制値の直線表示手段は、規制値を示す当該直線を迅速かつ容易に変更することができるため、様々な種類の環境監視の規制値に対応することができると共に、環境監視の規制値の変更にも即座に対応することができるという効果がある。
【産業上の利用可能性】
【００４５】
本発明のチャート紙早見器は、チャート紙を使用する記録計において各種測定データを記録し、それに引き続き、上記測定データの確認作業を行う場合に、有用である。
【図面の簡単な説明】
【００４６】
【図１】本発明のチャート早見器における一実施形態を示す概略図である。
【図２】同実施形態における上側透明板の詳細を示す斜視図である。
【図３】ロール式チャート紙確認用のチャート紙早見器の実施形態の一例を示す図である。
【図４】上側透明板５を示した図である。
【符号の説明】
【００４７】
１    チャート早見器
２    チャート紙供給トレー
３    器体
４    チャート紙収容トレー
５    上側透明板
５１    開口
６    下側透明板
６１    開口
７    チャート紙
８    第1チャート紙送りローラ
８ａ    ローラー歯
９    第1プーリー
１０    第２チャート紙送りローラ
１０ａ    ローラー歯
１１    第２プーリー
１２    駆動プーリー
１３    手動ハンドル
１４    ベルト
１５      豆電球
１６    スライドスイッチ
１７    乾電池
１８，１９    配線
２０    押さえ金具
２１    蝶番
３０    供給ロール軸
３１    受け取りロール軸
３２    プーリー
３３    中間のプーリー
３４、３５    ベルト
４０    直線表示手段
４１    直線表示
１００    チャート紙送り方向
【図１】
2006250838.tif 000003
【図２】
2006250838.tif 000004
【図３】
2006250838.tif 000005
【図４】
2006250838.tif 000006